(57)【要約】【課題】本発明は、テスト信号発生装置及び表示装置の評価方法に関し、例えばモニタ装置の色再現領域の確認に適用して、簡易かつ確実に、モニタ装置の色再現領域を確認することができるようにする。【解決手段】本発明は、輝度信号Ｙ及び１つの色差信号Ｃｂの信号レベルが水平方向に順次変化するように、また残る色差信号Ｃｒが垂直方向に順次変化するように設定等して色再現領域確認用のテストパターンを生成する。また２つの色信号の信号レベルが水平方向に順次変化するように、また残る色信号が垂直方向に順次変化するように設定等して色再現領域確認用のテストパターンを生成する。【選択図】        図１
2009094607.tif 000002
【特許請求の範囲】
【請求項１】
テスト信号を出力するテスト信号発生装置において、
前記テスト信号が、
テストパターンを表示する信号であり、
前記テストパターンが、
輝度信号及び１つの色差信号の信号レベル、又は２つの色信号の信号レベルが水平方向又は垂直方向に順次変化し、
残る色差信号又は残る色信号の信号レベルが垂直方向又は水平方向に順次変化し、
前記輝度信号及び１つの色差信号の一方、又は前記２つの色信号の一方の前記水平方向又は垂直方向の信号レベルの変化が複数回繰り返すように設定されたテストパターンである
ことを特徴とするテスト信号発生装置。
【請求項２】
前記輝度信号及び１つの色差信号の信号レベル、又は前記２つの色信号の信号レベルの変化、及び前記残る色差信号又は残る色信号の信号レベルの変化が、段階的な信号レベルの変化である
ことを特徴とする請求項１に記載のテスト信号発生装置。
【請求項３】
テスト信号によりテストパターンを表示装置で表示して前記表示装置を評価する表示装置の評価方法において、
前記テストパターンが、
輝度信号及び１つの色差信号の信号レベル、又は２つの色信号の信号レベルが水平方向又は垂直方向に順次変化し、
残る色差信号又は残る色信号の信号レベルが垂直方向又は水平方向に順次変化し、
前記輝度信号及び１つの色差信号の一方、又は前記２つの色信号の一方の前記水平方向又は垂直方向の信号レベルの変化が複数回繰り返すように設定されたテストパターンである
ことを特徴とするモニタ装置の評価方法。
【発明の詳細な説明】
【技術分野】
【０００１】
本発明は、テスト信号発生装置及び表示装置の評価方法に関し、例えばモニタ装置の色再現領域の確認に適用することができる。本発明は、輝度信号及び１つの色差信号の信号レベルが水平方向に順次変化するように、また残る色差信号が垂直方向に順次変化するように設定して色再現領域確認用のテストパターンを生成すること等により、簡易かつ確実に、モニタ装置の色再現領域を確認することができるようにする。
【背景技術】
【０００２】
従来、モニタ装置の開発、生産現場等では、テスト信号をモニタ装置に入力してカラーバー、グレースケール等を表示し、各種の特性を検討している。また従来の陰極線管によるモニタ装置は、ｓＲＧＢによる色空間で所望の画像を表示しており、このようなモニタ装置では、カラーバー等の表示により色再現性を確認していた。
【０００３】
これに対して近年のフラットディスプレイ装置では、ｓＲＧＢより広い色域を表現可能な装置も提供されており、これに対応してｓＲＧＢより広い色域を有するＡｄｏｂｅＲＧＢ、ｘｖＹＣＣ等による色空間規格が提案されている。
【０００４】
このようなモニタ装置に関する評価方法として、例えば特開２０００−２７８７２１号公報には、評価方法を定量化する工夫が提案されている。
【０００５】
ところでｘｖＹＣＣ等で定義される色空間に関して、モニタ装置の色再現領域を簡易かつ確実に確認することができれば便利であると考えられる。
【特許文献１】特開２０００−２７８７２１号公報
【発明の開示】
【発明が解決しようとする課題】
【０００６】
本発明は以上の点を考慮してなされたもので、モニタ装置の色再現領域を簡易かつ確実に確認することができるテスト信号発生装置及び表示装置の評価方法を提案しようとするものである。
【課題を解決するための手段】
【０００７】
上記の課題を解決するため請求項１の発明は、テスト信号を出力するテスト信号発生装置に適用して、前記テスト信号が、テストパターンを表示する信号であり、前記テストパターンが、輝度信号及び１つの色差信号の信号レベル、又は２つの色信号の信号レベルが水平方向又は垂直方向に順次変化し、残る色差信号又は残る色信号の信号レベルが垂直方向又は水平方向に順次変化し、前記輝度信号及び１つの色差信号の一方、又は前記２つの色信号の一方の前記水平方向又は垂直方向の信号レベルの変化が複数回繰り返すように設定されたテストパターンであるようにする。
【０００８】
また請求項２の発明は、請求項１の構成において、前記輝度信号及び１つの色差信号の信号レベル、又は前記２つの色信号の信号レベルの変化、及び前記残る色差信号又は残る色信号の信号レベルの変化が、段階的な信号レベルの変化であるようにする。
【０００９】
また請求項３の発明は、テスト信号によりテストパターンを表示装置で表示して前記表示装置を評価する表示装置の評価方法に適用して、前記テストパターンが、輝度信号及び１つの色差信号の信号レベル、又は２つの色信号の信号レベルが水平方向又は垂直方向に順次変化し、残る色差信号又は残る色信号の信号レベルが垂直方向又は水平方向に順次変化し、前記輝度信号及び１つの色差信号の一方、又は前記２つの色信号の一方の前記水平方向又は垂直方向の信号レベルの変化が複数回繰り返すように設定されたテストパターンであるようにする。
【００１０】
請求項１又は請求項３の構成によるテストパターンにあっては、水平方向及び垂直方向に順次色が変化することにより、色再現できない部位では、色の変化が表示されなくなる。従って請求項１又は請求項３の構成によれば、目視により簡易かつ確実にモニタ装置の色再現領域を確認することができる。
【００１１】
また請求項２の構成によれば、請求項１の構成において、信号レベルの変化が順次段階的な変化であることから、色の変化の有無の識別能力を向上することができる。
【発明の効果】
【００１２】
本発明によれば、モニタ装置の色再現領域を簡易かつ確実に確認することができる。
【発明を実施するための最良の形態】
【００１３】
以下、適宜図面を参照しながら本発明の実施例を詳述する。
【実施例１】
【００１４】
（１）実施例の構成
図２は、本発明の実施例１のテスト信号発生装置を示すブロック図である。このテスト信号発生装置１は、カラーバー、グレースケール等の各種テストパターンのビデオ信号を出力する。このテスト信号発生装置１において、テスト信号メモリ２は、各種テスト信号の波形データを格納して保持し、コントローラ３の制御により保持した波形データを出力する。
【００１５】
テスト信号出力回路４は、コントローラ３の制御により出力フォーマットを切り換え、テスト信号メモリ２から出力される波形データを処理して各種ビデオ信号を出力する。なおここでこの出力フォーマットは、コンポジット、コンポーネントによるアナログビデオ信号出力、色信号によるビデオ信号出力、ディジタル信号によるビデオ信号出力等である。コントローラ３は、このテスト信号発生装置に設けられた操作子の操作に応動してテスト信号メモリ２、テスト信号出力回路４の動作を制御する。
【００１６】
これによりこのテスト信号発生装置１は、テスト信号メモリ２に保持された波形データを順次読み出してテスト信号出力回路４で処理して出力することにより、各種テストパターンのビデオ信号を出力し、このテストパターンの１つに色再現領域確認用のテストパターンが設けられる。
【００１７】
ここで図１は、この色再現領域確認用のテストパターンを示す平面図である。この図１では、輝度信号Ｙ、青色に係る色差信号Ｃｂ、赤色に係る色差信号Ｃｒとの関係によりこの色再現領域確認用のテストパターンを示す。なお図１は、この色再現領域確認用のテストパターンによるビデオ信号の出力フォーマットを示すものでは無く、このテスト信号発生装置１では、この色再現領域確認用のテストパターンについても、上述した各種フォーマットで出力される。
【００１８】
ここでこのテストパターンにおいて、最上段の帯状の領域ＡＲ１には、グレースケールが設けられる。また残る領域ＡＲ２が色再現領域の確認用領域に割り当てられる。
【００１９】
テストパターンは、この領域ＡＲ２において、２種類の色差信号Ｃｒ、Ｃｂのうちの１つと輝度信号Ｙとの信号レベルが水平方向に順次変化するように設定される。また残る１つの色差信号の信号レベルが垂直方向に順次変化するように設定される。この実施例では、この水平方向に信号レベルが変化する色差信号に、青色に係る色差信号Ｃｂが割り当てられる。従って輝度信号Ｙ及び色差信号Ｃｂは、垂直方向には一定の信号レベルに保持され、また残る色差信号Ｃｒは水平方向には一定の信号レベルに保持される。
【００２０】
テストパターンは、この輝度信号Ｙ及び色差信号Ｃｒ、Ｃｂの信号レベルの変化が、順次段階的な変化となるように設定される。また輝度信号Ｙにあっては、水平方向の信号レベルの変化が複数周期繰り返され、より具体的には、色差信号Ｃｒが一定の信号レベルに保持されている期間が繰り返しの期間に設定されて、色差信号Ｃｒに同期して水平方向の信号レベルの変化が繰り返されるように設定される。
【００２１】
（２）実施例の動作
以上の構成において、このテスト信号発生装置１では（図１）、テスト信号メモリ２に保持された波形データが順次読み出されてテスト信号出力回路４で処理され、所望のフォーマットによりモニタ装置に出力される。これによりこのテスト信号メモリ２から読み出す波形データ、テスト信号出力回路４の設定の切り換えにより、各種モニタ装置で種々のテストパターンを表示してモニタ装置の特性を評価することができる。
【００２２】
この実施例では、このテストパターンの１つに色再現領域確認用のテストパターンが割り当てられており、この色再現領域確認用のテストパターンでは、水平方向に輝度信号Ｙ及び色差信号Ｃｂの信号レベルが順次変化し、垂直方向に残る色差信号Ｃｒの信号レベルが順次変化するように設定されており、また輝度信号Ｙにおける水平方向の信号レベルの変化が複数周期繰り返されることにより、この色再現領域確認用のテストパターンでは、順次水平方向及び垂直方向に色が変化するように設定される。これによりモニタ装置において、色再現が困難な領域が存在する場合には、この色再現が困難な領域でこの水平方向及び垂直方向への色の変化を観察することが困難になる。これによりこのテスト信号発生装置１では、目視による監視により、簡易かつ確実に、モニタ装置の色再現領域を確認することができる。
【００２３】
（３）実施例の効果
以上の構成によれば、輝度信号及び１つの色差信号の信号レベルが水平方向に順次変化するように、また残る色差信号が垂直方向に順次変化するように設定して色再現領域確認用のテストパターンを生成することにより、この色再現領域確認用のテストパターンを用いて簡易かつ確実に、モニタ装置の色再現領域を確認することができる。
【００２４】
またこれら輝度信号及び色差信号の信号レベルの変化を順次段階的な変化とすることにより、識別能力を向上して簡易かつ確実に、モニタ装置の色再現領域を確認することができる。
【実施例２】
【００２５】
この実施例では、水平方向への信号レベルの変化が輝度信号Ｙと赤色に係る色差信号Ｃｒとに割り当てられ、垂直方向の信号レベルの変化が青色に係る色差信号Ｃｂに割り当てられる点を除いて、上述の実施例１と同一に構成される。
【００２６】
この実施例のように水平方向及び垂直方向の変化を割り当てる色差信号を入れ換えるようにしても、上述の実施例と同一に構成することができる。
【実施例３】
【００２７】
図３は、この実施例のテスト信号発生装置による色再現領域確認用のテストパターンを示す平面図である。この色再現領域確認用のテストパターンでは、ｓＲＧＢの色域が実線により囲まれて表示される。この実施例では、このｓＲＧＢの色域を表示する点を除いて、上述の実施例１又は実施例２と同一に構成される。
【００２８】
この実施例では、ｓＲＧＢの色域を表示することにより、ｓＲＧＢの色域との対比によりモニタ装置の色再現領域を確認することができる。
【実施例４】
【００２９】
なお上述の実施例では、２種類の信号の信号レベルの変化を水平方向に割り当て、残る１種類の信号の信号レベルの変化を垂直方向に割り当てる場合について述べたが、本発明はこれに限らず、この水平方向及び垂直方向の信号レベルの変化を入れ換えるようにしてもよい。
【００３０】
また上述の実施例では、水平方向及び垂直方向でそれぞれ右肩上がり及び左肩上がりに信号レベルを可変する場合について述べたが、本発明はこれに限らず、これとは逆に信号レベルを可変してもよい。
【００３１】
また上述の実施例では、信号レベルの変化を水平方向に割り当てた輝度信号及び色差信号において、輝度信号側の信号レベルの変化を短い周期に設定して信号レベルの変化を水平方向に複数周期繰り返す場合について述べたが、本発明はこれに限らず、色差信号側の信号レベルの変化を短い周期に設定して繰り返すようにしてもよい。
【００３２】
また上述の実施例では、輝度信号及び１つの色差信号の信号レベルを水平方向に変化させ、残る色差信号の信号レベルを垂直方向に変化させる場合について述べたが、本発明はこれに限らず、赤色色信号、青色色信号、緑色色信号のうちの２つの色信号の信号レベルを水平方向又は垂直方向に変化させ、残る色信号の信号レベルを垂直方向又は水平方向に変化させるようにして色再現領域確認用のテストパターンを表示するようにしてもよい。
【産業上の利用可能性】
【００３３】
本発明は、テスト信号発生装置及び表示装置の評価方法に関し、例えばモニタ装置の色再現領域の確認に適用することができる。
【図面の簡単な説明】
【００３４】
【図１】本発明の実施例１に係る色再現領域確認用のテストパターンを示す平面図である。
【図２】本発明の実施例１に係るテスト信号発生装置を示すブロック図である。
【図３】本発明の実施例３に係る色再現領域確認用のテストパターンを示す平面図である。
【符号の説明】
【００３５】
１……テスト信号発生装置、２……テスト信号メモリ、３……コントローラ、４……テスト信号出力回路
【図１】
2009094607.tif 000003
【図２】
2009094607.tif 000004
【図３】
2009094607.tif 000005